(57)【要約】【課題】コピー偽造対策に悪影響を与えないで、複雑なモチーフのレリーフ調模様を美しくきめ細かい再現性で偽造防止印刷物上に現す。【解決手段】レリーフ調模様１と潜像２と同一面上で組み合わせる際に、潜像２の全体形状が欠落しないように、レリーフ調模様１における図柄本体部１１、図柄背景部１２、光当部１３及び影部１４の一部を欠落させ、併せて、潜像２について同一面上で組み合わせる際に光当部１３が欠落しないように、潜像２の形状の一部を欠落させ、潜像２の欠落させた形状を復元用網点３で復元し、欠落した形状に濃度を持たせるプロセスを経て偽造防止印刷物を作成する。【選択図】図３
2014124862.tif 000002
【特許請求の範囲】
【請求項１】
複写再現能力に満たない小さい点で形成された図柄本体部、この図柄本体部の背景であって、前記図柄本体部と共通した前記小さい点で、同じ面積率で形成された図柄背景部、光が当たっているように見せることで前記図柄本体部が浮き出ているように感じさせる光当部及び、影であるように見せることで前記図柄本体部が浮き出ているように感じさせる影部から構成され、全体として立体的な図柄が二次元平面で表現されるレリーフ調模様と、
複写機で再現可能な大きい点の集合体又は線群と、を、
前記図柄本体部及び前記図柄背景部の面積率と、前記複写機で再現可能な大きい点の集合体又は線群の面積率とを略一致させ、同一面上で組み合わせて構成する、
ことを特徴とする偽造防止印刷物。
【請求項２】
前記同一面上で組み合わせる際に、前記複写機で再現可能な大きい点の集合体又は線群からなる形状が欠落しないように、前記図柄本体部、前記図柄背景部、前記光当部及び前記影部の一部を欠落させている、
ことを特徴とする請求項１に記載の偽造防止印刷物。
【請求項３】
前記同一面上で組み合わせる際に、前記光当部が欠落しないように、前記複写機で再現可能な大きい点の集合体又は線群の一部を欠落させている、
ことを特徴とする請求項１又は請求項２に記載の偽造防止印刷物。
【請求項４】
前記複写機で再現可能な大きい点の集合体又は線群の欠落した形状を網点で復元し、該欠落した形状に所定の濃度を持たせている、
ことを特徴とする請求項３に記載の偽造防止印刷物。
【請求項５】
前記同一面上で組み合わせる際に、前記複写機で再現可能な大きい点の集合体又は線群と、前記図柄本体部及び前記光当部、前記影部とを重ならないように配置している、
ことを特徴とする請求項１に記載の偽造防止印刷物。
【請求項６】
請求項１から請求項５のいずれか１つに記載の偽造防止印刷物を有彩色の第１のインキで形成する偽造防止印刷版と、
前記レリーフ調模様と同一形状の第２レリーフ調模様を前記第１のインキと合成すると無彩色になる有彩色の第２のインキで形成する刷り合わせ版と、
を見当を合わせて刷り重ね、
目視上、前記第１のインキの色と前記第２のインキの色とを合成した合成色としての無彩色となる前記図柄本体部及び前記図柄背景部、前記影部を印刷物上に形成して構成する、
ことを特徴とする偽造防止印刷物。
【発明の詳細な説明】
【技術分野】
【０００１】
本発明は、コピー偽造対策として潜像が組み込まれている偽造防止印刷物の印刷面上に、レリーフ調模様を美しくきめ細かい再現性で現すことを実現した偽造防止印刷物に関する。
【背景技術】
【０００２】
従来から、画像処理ソフト等のエンボス処理機能を使って立体的なモチーフを二次元平面で表現したレリーフ模様を作成し、このレリーフ模様を、その背景から浮かびあがらせて見せる技術が公知である。この技術は、複写機で複写した銀行券、有価証券、各種証明書等の偽造用紙の作成を防止するコピー偽造対策としても適用され、例えば、下記特許文献１では万線を応用し、線間や線の太さの強弱等を変えることで、線画に基づいてレリーフ模様を形成する方法に係る発明が提案されている。
【０００３】
また、他のコピー偽造対策として、下記特許文献２に係る発明で提案されるように、従来から１本のラインを２本に分割したり、線の角度を変えたりして潜像を形成し、コピー機の再現性の変化を狙って潜像を現出させる技術の例が知られる。さらに、下記特許文献３では、下記特許文献２に係る発明で提案されるコピー偽造対策に、万線を応用し、線間や線の太さの強弱等を変えてレリーフ模様を形成する技術を融合して構成される画像形成体に係る発明が提案されている。
【先行技術文献】
【特許文献】
【０００４】
【特許文献１】特開平５−１５８２１０号公報
【特許文献２】特開２０００−１８５４５７号公報
【特許文献３】特開２００６−１２３３５５号公報
【発明の概要】
【発明が解決しようとする課題】
【０００５】
しかし、特許文献１や特許文献３で提案されるレリーフ模様の形成技術は万線が応用されるため、複雑なモチーフでレリーフ模様を作成しようとした場合、コピー偽造対策を施しつつ、これを美しく偽造防止印刷物上で見せることに困難性がある。さらに、偽造防止印刷物上でレリーフ模様を美しく見せることに注目しすぎると、コピー偽造対策に影響が及ぶ可能性がある。一方、偽造防止効果を下げることなく、偽造防止印刷物上にきめ細かい再現性で美しくレリーフ模様を表現できれば、偽造防止印刷物に新たな魅力を備えさせることができる。
【０００６】
本発明は、上記実情に鑑み提案され、コピー偽造対策による偽造防止効果を下げることなく、彩紋等をはじめとする複雑な模様のモチーフまでをレリーフ調で、網点ならではのきめの細かい再現性により印刷物上に現すことができる偽造防止印刷物を提供することを目的とする。
【課題を解決するための手段】
【０００７】
上記目的を達成するため、本発明に係る偽造防止印刷物は、複写再現能力に満たない小さい点で形成された図柄本体部、この図柄本体部の背景であって、前記図柄本体部と共通した前記小さい点で、同じ面積率で形成された図柄背景部、光が当たっているように見せることで前記図柄本体部が浮き出ているように感じさせる光当部及び、影であるように見せることで前記図柄本体部が浮き出ているように感じさせる影部から構成され、全体として立体的な図柄が二次元平面で表現されるレリーフ調模様と、複写機で再現可能な大きい点の集合体又は線群とを、前記図柄本体部及び前記図柄背景部の面積率と、前記複写機で再現可能な大きい点の集合体又は線群の面積率とを略一致させ、同一面上で組み合わせて構成することを特徴とする。
【０００８】
特に、本発明は、前記同一面上で組み合わせる際に、前記複写機で再現可能な大きい点の集合体又は線群からなる形状が欠落しないように、前記図柄本体部、前記図柄背景部、前記光当部及び前記影部の一部を欠落させていることを特徴とする。さらに、前記同一面上で組み合わせる際に、前記光当部が欠落しないように、前記複写機で再現可能な大きい点の集合体又は線群の一部を欠落させていることを特徴とする。そして、前記複写機で再現可能な大きい点の集合体又は線群の欠落した形状を網点で復元し、該欠落した形状に所定の濃度を持たせていることを特徴とする。
【０００９】
また、本発明は、前記同一面上で組み合わせる際に、前記複写機で再現可能な大きい点の集合体又は線群と、前記図柄本体部及び前記光当部、前記影部とを重ならないように配置していてもよい。
【００１０】
このほか、本発明に係る偽造防止印刷物は、上述した偽造防止印刷物を有彩色の第１のインキで形成する偽造防止印刷版と、前記レリーフ調模様と同一形状の第２レリーフ調模様を前記第１のインキと合成すると無彩色になる有彩色の第２のインキで形成する刷り合わせ版とを、見当を合わせて刷り重ね、目視上、前記第１のインキの色と前記第２のインキの色とを合成した合成色としての無彩色となる前記図柄本体部及び前記図柄背景部、前記影部を印刷物上に形成して構成することを特徴としている。
【発明の効果】
【００１１】
本発明は、複写再現能力に満たない小さい点で形成された図柄本体部、この図柄本体部の背景であって、図柄本体部と共通した小さい点で、同じ面積率で形成された図柄背景部、光が当たっているように見せることで図柄本体部が浮き出ているように感じさせる光当部及び、影であるように見せることで図柄本体部が浮き出ているように感じさせる影部から構成され、全体として立体的な図柄が二次元平面で表現されるレリーフ調模様と、複写機で再現可能な大きい点の集合体又は線群とを同一面上で組み合わせて構成する偽造防止印刷物に係る。したがって、図柄本体部及び図柄背景部の面積率が同じであるので、立体的な図柄としてのレリーフ調模様を二次元平面で印刷物上に表現することができる。図柄本体部及び図柄背景部の面積率と、複写機で再現可能な大きい点の集合体又は線群の面積率とを略一致させている構成であるので、コピー偽造対策を施した偽造防止印刷物として適用することができる。さらに、図柄本体部及び図柄背景部が複写再現能力に満たない小さい点で構成されるので、きめの細かな再現性で美しくレリーフ調模様を印刷物上に現すことができる。
【００１２】
特に、同一面上で組み合わせる際に、複写機で再現可能な大きい点の集合体又は線群からなる形状が欠落しないように、図柄本体部、図柄背景部、光当部及び影部の一部を欠落させている構成とすることで、複写機で再現可能な大きい点の集合体又は線群が複写物上で明確に現れないといった、レリーフ調模様を組み合わせることによって生じかねないコピー偽造対策への悪影響を防ぐことができる。光当部が欠落しないように、複写機で再現可能な大きい点の集合体又は線群の一部を欠落させている構成とすることで、これらを組み合わせてもなお、レリーフ調模様を美しく印刷物上に表現することができる。
【００１３】
ここで、上記光当部を欠落させないように複写機で再現可能な大きい点の集合体又は線群の一部を欠落させる構成では、彩紋等の細かなレリーフ調模様により複写機で再現可能な大きい点の集合体又は線群が不均一に削られ、外観上、斑模様に見えてしまう現象が生じる可能性がある。そこで、複写機で再現可能な大きい点の集合体又は線群の欠落した形状を網点で復元し、この欠落した形状に所定の濃度を持たせることにより、そのような外観上の不具合を解消させることができる。そして複写機で再現可能な大きい点の集合体又は線群の欠落した形状が所定の濃度を持って印刷物上で復元されるため、複雑なモチーフのレリーフ調模様を美しく印刷物上に再現することができる効果をそのままに、コピー偽造対策への悪影響を防ぐことができる。なお、複写機で再現可能な大きい点の集合体又は線群の欠落した形状を補う網点は、例えば、一本の万線の線を１００％濃度としたときに、これに対して２０〜８０％の濃度で効果が良好となり、４０〜６０％の濃度で最適となるが、上記２０〜８０％の範囲を外れても少なからず、欠落した形状部分の濃度を補うことができる。
【００１４】
また、本発明では、同一面上で組み合わせる際に、複写機で再現可能な大きい点の集合体又は線群と、図柄本体部及び光当部、影部とを重ならないように配置している構成によっても、コピー偽造対策に影響を及ぼさないで、かつ、複雑なモチーフであってもレリーフ調模様を美しく印刷物上に表現することができる。
【００１５】
このほか、本発明は、上記偽造防止印刷物を有彩色の第１のインキで形成する偽造防止印刷版と、レリーフ調模様と同一形状の第２レリーフ調模様を第１のインキと合成すると無彩色になる有彩色の第２のインキで形成する刷り合わせ版とを見当を合わせて刷り重ね、目視上、第１のインキの色と第２のインキの色とを合成した合成色としての無彩色となる図柄本体部及び図柄背景部、影部を印刷物上に形成して構成する偽造防止印刷物に係る。したがって、印刷物上で無彩色により現されている図柄本体部及び図柄背景部、影部の面から、複写物において複写機で再現可能な大きい点の集合体又は線群が第１のインキの有彩色で現れるため、形の変化と共に、色の変化を効果的に活用したコピー偽造対策を構築することができる。そして、偽造防止印刷版と刷り合わせ版とを見当を合わせて刷り重ねる構成であるので、印刷物上に再現されるレリーフ調模様の形状を、より鮮明化することができる。偽造防止印刷版と刷り合わせ版とを見当を合わせて刷り重ねる際に、モアレが出ないように異なる角度で刷り重ねることにより、印刷物上に再現されるレリーフ調模様の形状の鮮明さを更に向上させることができる。
【図面の簡単な説明】
【００１６】
【図１】第１実施形態における偽造防止印刷物を作成するプロセスの一部であって、同一面上で組み合わせる一方であるレリーフ調模様（組合せ用エンボス画像）を用意するプロセスを説明する説明図である。
【図２】第１実施形態における偽造防止印刷物を作成するプロセスの他の一部であって、同一面上で組み合わせる他方である複写機で再現可能な線群（組合せ用潜像画像）を用意するプロセスを説明する説明図である。
【図３】第１実施形態における偽造防止印刷物を作成するプロセスの要部であって、図１に示すレリーフ調模様（組合せ用エンボス画像）及び図２に示す複写機で再現可能な線群（組合せ用潜像画像）から、偽造防止印刷物を作成するに至るプロセスを説明する説明図である。
【図４】第２実施形態における偽造防止印刷物を作成するプロセスを説明する説明図である。
【発明を実施するための形態】
【００１７】
以下、本発明に係る偽造防止印刷物に関し、具現化したいくつかの実施形態について図面とともに説明する。以下に説明する実施形態は、本発明の構成を具現化した例示に過ぎず、本発明は、特許請求の範囲に記載した事項を逸脱することがなければ、種々の設計変更を行うことができる。
【００１８】
本発明に係る偽造防止印刷物は、図３中の＜Ｉ＞で指し示す画像に示されるように、立体的な図柄が二次元平面で表現されるレリーフ調模様１と、複写機で再現可能な大きい点の集合体又は線群としての、例えば、複写機で再現可能な線群からなる潜像２とが、同一面上で組み合わせられることで構成されている。
【００１９】
レリーフ調模様１は、複写再現能力に満たない小さい点で形成された、立体的な図柄の主部となる図柄本体部１１と、この図柄本体部１１の背景として、図柄本体部１１と共通する複写再現能力に満たない小さい点で、同じ面積率で形成された、図柄背景部１２と、光が当たっているように見せることで図柄本体部１１が浮き出ているように感じさせる光当部１３と、影であるように見せることで図柄本体部１１が浮き出ているように感じさせる影部１４とから構成されている。レリーフ調模様１は、図柄本体部１１、図柄背景部１２、光当部１３及び影部１４から全体として、立体的な図柄が二次元平面で表現されているように見えるものとなる。図柄本体部１１及び図柄背景部１２の面積率が一致することも、レリーフ調模様１の立体的な図柄が二次元平面で表現されるように見える要件となる。
【００２０】
図柄本体部１１及び図柄背景部１２を形成する複写再現能力に満たない小さい点は、１００〜３００線／インチの網点で構成し、その面積率を５〜２５％とすることが好ましい。光当部１３は、インキが付されない領域である。影部１４は、１００〜３００線／インチの網点で構成し、その面積率を１０〜５０％として形成することが好ましい。上述のような線数並びに面積率は、小さい点の集合体が目視において認識可能であるが、各種のカラーコピー機及びモノクロコピー機において再現されない範囲として経験的かつ実験的に得たことに基づいて規定している。
【００２１】
潜像２は、上述のとおり複写機で再現可能な線群からなる。具体的には、３０〜７０線／インチの万線で構成し、その面積率を５〜２５％とすることが好ましい。なお３０〜７０線／インチの網点の潜像であっても本発明を構成することができる。
【００２２】
そして、本発明に係る偽造防止印刷物は、図柄本体部１１及び図柄背景部１２の面積率と、潜像２の面積率とがほぼ一致している。具体的には、図柄本体部１１及び図柄背景部１２の面積率と、潜像２の面積率との面積率の差異は、５％程度の範囲内に抑えられている。
【００２３】
なお、線数とは１インチ中に存在する線の本数を示し、同じ面積率の場合、線数が多いほど形成される点（網点ドット）が小さくなる。線数の差が大きいほど、境界が目立つ傾向がある。また、面積率は、単位面積中に占める網点の面積の割合を示す。
【００２４】
本発明に係る偽造防止印刷物を作成するプロセスでは、レリーフ調模様１と潜像２とを同一面上で組み合わせる際に、潜像２の全体形状が欠落しないように、レリーフ調模様１における図柄本体部１１、図柄背景部１２、光当部１３及び影部１４の一部を欠落させることが好ましい（図３中の＜Ｃ＞で指し示す画像、図１の組合せ用エンボス画像１ａも参照）。併せて、潜像２について、レリーフ調模様１と同一面上で組み合わせる際にレリーフ調模様１の光当部１３が欠落しないように、潜像２の一部の形状を欠落させることが好ましい（図３中の＜Ｅ＞で指し示す画像、図２の組合せ用潜像画像２ａを参照）。また、潜像２（組合せ用潜像２ａ）の欠落させた形状を、復元用網点３（図３中の＜Ｇ＞で指し示す画像、網点画像３ａを参照）で復元し、欠落させた形状に濃度を持たせることがさらに好ましい。なぜなら、斑模様に見えてしまう等の外観上の不具合を解消することができるからである。なお、欠落させるとは、抜いて透明としたり、白を置いたりすることで、印刷されないようにすることを意味する。
【００２５】
（第１実施形態）
以下、本発明に係る偽造防止印刷物を作成するプロセスに関し具体的に構成した第１実施形態について、図１〜図３に基づいて説明していく。
【００２６】
（１）準備工程
まず、図１に示すようなステップで、同一面上で組み合わせる一方であるレリーフ調模様（組合せ用エンボス画像１ａ）を用意する。
【００２７】
すなわち、所定の図柄について、画像処理ソフトウエアによりエンボス処理をし、元となるエンボス画像を得る。この元となるエンボス画像は、５０％前後の面積率で現される無彩色の一様な背景中より上記所定の図柄が浮き出た画像として現れる。そして、この元となるエンボス画像の面積率について、画像処理ソフトウエア上で、偽造防止印刷物として適当な面積率（例えば、潜像２の面積率と一致する面積率）となるまで数値を下げ、同一面上で組み合わせようとするエンボス画像１ｏを得る（図１中の＜Ａ＞で指し示す画像を参照）。続いて、同一面上で組み合わせようとする潜像２の潜像画像２ｏを用意した上で（図１中の＜Ｂ＞で指し示す画像を参照）、これらを照らし合わせ、エンボス画像１ｏと潜像画像２ｏを重ねたときに重複する領域を抽出する。そして、潜像画像２ｏを重ねたときに重複する領域となるエンボス画像１ｏ上の図柄本体部１１、図柄背景部１２、光当部１３及び影部１４の一部を抜いて透明とし、エンボス画像１ｏから欠落させる。これにより、同一面上で潜像と組み合わせる組合せ用エンボス画像１ａを得ることができる（図１中の＜Ｃ＞で指し示す画像を参照）。
【００２８】
一方、図２に示すようなステップで、同一面上で組み合わせる他方である複写機で再現可能な線群（組合せ用潜像画像２ａ）を用意する。
【００２９】
すなわち、上述のようにして得られたエンボス画像１ｏを、面積率を基準にした特定の閾値で２階調化し、図柄本体部１１、図柄背景部１２及び影部１４と、光当部１３とを区別可能にした２階調化画像１ｂを得る（図２中の＜Ｄ＞で指し示す画像を参照）。続いて、同一面上で組み合わせようとする潜像画像２ｏ（図２中の＜Ｂ＞で指し示す画像を参照）を用意した上で、これらを照らし合わせ、２階調化画像１ｂと潜像画像２ｏを重ねたときに、２階調化画像１ｂにおける白部分（すなわち光当部１３）と重複する潜像画像２ｏ上の領域を抽出する。この白部分と重複する領域となる潜像画像２ｏ上の潜像形状の一部を抜いて透明とし、欠落させる。これにより、同一面上で組合せ用エンボス画像１ａと組み合わせる組合せ用潜像画像２ａを得ることができる（図２中の＜Ｅ＞で指し示す画像を参照）。
【００３０】
（２）組み合わせ工程
次に、図３に示すようなステップで、組合せ用エンボス画像１ａ及び組合せ用潜像画像２ａの同一面上での組み合わせを通じて、第１実施形態に係る偽造防止印刷物を得る。
【００３１】
すなわち、組合せ用エンボス画像１ａ及び組合せ用潜像画像２ａを同一面上で融合させて、第１実施形態に係る偽造防止印刷物の元となる元画像Ｘを得る（図３中の＜Ｆ＞で指し示す画像を参照）。次に、元画像Ｘを構成する組合せ用潜像画像２ａは、レリーフ調模様１（２階調化画像１ｂ）と重ねたときに光当部１３と重複する領域の潜像形状が欠落しているので、欠落させた潜像形状を復元するための復元用網点３からなる網点画像３ａを用意し（図３中の＜Ｇ＞で指し示す画像を参照）、これを元画像Ｘと同一面上で融合する。これにより、組合せ用潜像画像２ａと網点画像３ａとが組み合わされ、欠落した形状に濃度を持たせて復元した潜像２ｂを含んだ第１実施形態に係る偽造防止印刷物を作成するための偽造防止印刷画像Ｙを得ることができる（図３中の＜Ｉ＞で指し示す画像を参照）。網点画像３ａは、データ処理が複雑化しないように、図柄本体部１１、図柄背景部１２と同じ線数の復元用網点３で形成されることが好ましい。
【００３２】
そして、得られた偽造防止印刷画像Ｙに基づいて偽造防止印刷版Ｐを作成し、この偽造防止印刷版Ｐで用紙に印刷することにより、第１実施形態に係る偽造防止印刷物を製造することができる。製造した偽造防止印刷物をコピー機で複写して複写物を得ると、その複写物上には、復元した潜像２ｂが現れる（図３中の＜Ｈ＞で指し示す画像を参照）。仮に、元画像Ｘから印刷物を得て、コピー機で複写して複写物を得ると、その複写物上には、形状の一部が欠落したままの組合せ用潜像画像２ａに基づいた潜像が現れることになる。
【００３３】
なお、第１実施形態に係る偽造防止印刷物を構成するレリーフ調模様１の図柄本体部１１及び図柄背景部１２を形成する複写再現能力に満たない小さい点は、１７５線／インチの網点である。また、その面積率は、１５％である。影部１４は、１７５線／インチの網点で、その面積率を１０〜５０％として形成する。潜像２は、５０線／インチの万線で、その面積率を１５％として形成する。復元用網点３は、１７５線／インチの線数であり、その濃度を、潜像２の万線の一本の線の濃度の半分、すなわち、潜像２の万線の一本の線の５０％濃度とする。
【００３４】
したがって、第１実施形態に係る偽造防止印刷物は、レリーフ調模様１を構成する図柄本体部１１及び図柄背景部１２の面積率と、潜像２の面積率とが略一致しているので、コピー偽造対策を施した偽造防止印刷物として適用することができる。特に、その作成プロセスにおいて、潜像２の形状が欠落しないように、図柄本体部１１、図柄背景部１２、光当部１３及び影部１４の一部を欠落させた構成とすることで、レリーフ調模様１を組み合わせることによって生じかねないコピー偽造対策への悪影響、例えば、複写物上での潜像２の不鮮明化を防ぐことができる。
【００３５】
また、図柄本体部１１及び図柄背景部１２の面積率が同じであるので、立体的な図柄としてのレリーフ調模様１を二次元平面で印刷物上に表現することができる。その作成プロセスにおいて、光当部１３が欠落しないように、潜像２の一部を欠落させ（組合せ用潜像画像２ａ）、かつ、この組合せ用潜像画像２ａ欠落した潜像形状を所定の濃度を持たせて復元した潜像２ｂを組合せ用エンボス画像１ａと組み合わせて構成したので、レリーフ調模様１がたとえ複雑なモチーフであっても、美しく印刷物上に表現することができるようにしつつ、かつ、コピー偽造対策への悪影響を防ぐことができる。なお、図柄本体部１１及び図柄背景部１２が複写再現能力に満たない小さい点で構成されているので、印刷物上に現したレリーフ調模様１は、きめ細かに美しく再現されることとなる。
【００３６】
ここで、図示を省略したが、レリーフ調模様１と潜像２を同一面上で組み合わせる際に、潜像２と、レリーフ調模様１を構成する図柄本体部１１及び光当部１３、影部１４とが重ならないように配置して偽造防止印刷物を構成しても、コピー偽造対策に影響を及ぼさないで、かつ、複雑なモチーフであってもレリーフ調模様を美しく印刷物上に表現することができる。したがって、このような構成の偽造防止印刷物も本発明の技術的範囲に含まれる。また、画像Ｘに基づいて偽造防止印刷版を作成し、これを用紙に印刷して製造された構成の偽造防止印刷物も本発明の技術的範囲に含まれる。
【００３７】
なお、本実施形態において偽造防止版を作成するまでのプロセスは、所定の画像処理ソフトの画像処理又は画像加工により実行することができるが、本発明に係る偽造防止印刷物はその構成を満たす限り、画像処理ソフトで実行する方法から得られるものに限定されない。
【００３８】
（第２実施形態）
さらに、本発明において具体的に構成した第２実施形態に関し、図４に基づいて説明していく。
【００３９】
第２実施形態に係る偽造防止印刷物は、図４中の＜Ｋ＞で指し示す画像に示されるように、目視上、無彩色（例えば、グレー）となる合成レリーフ調模様５が印刷物上に形成されて構成されている。
【００４０】
第２実施形態に係る偽造防止印刷物を作成するプロセスは以下のとおりである。すなわち、上記偽造防止印刷画像Ｙに基づいた偽造防止印刷版Ｐ（図４中の＜Ｉ＞で指し示す画像を参照）と、レリーフ調模様１と同一形状の第２レリーフ調模様４に基づいた刷り合わせ版Ｑ（図４中の＜Ｊ＞で指し示す画像を参照）とをそれぞれ作成する。そして、偽造防止印刷版Ｐと刷り合わせ版Ｑとを刷り重ねる。具体的には、偽造防止印刷版Ｐを有彩色の第１のインキ（例えば、赤）により、刷り合わせ版Ｑを第１のインキと合成すると無彩色になる有彩色の第２のインキ（例えば、緑）により、見当を合わせて刷り重ねて第２実施形態に係る偽造防止印刷物を製造するのである。これにより、レリーフ調模様１と第２レリーフ調模様４とが合成された合成レリーフ調模様５としての、図柄本体部５１及び図柄背景部５２、影部５４が印刷物上にグレーで現れる偽造防止印刷物を製造することができる。なお、光当部５３は、第１のインキも第２のインキも付されない領域として現れる。また、偽造防止印刷版Ｐを作成するための偽造防止印刷画像Ｙを構成していた潜像２ｂも有彩色の第１のインキで作成されるが、印刷物上では、刷り合わせ版Ｑによって合成色としての無彩色（グレー）の潜像２ｃとなって印刷物上に潜むことになる（図４中の＜Ｋ＞で指し示す画像を参照）。
【００４１】
上述したように製造された第２実施形態に係る偽造防止印刷物は、目視上、無彩色となる合成レリーフ調模様５が印刷物上に形成され、コピー機で複写して複写物を得ると、その複写物上には、有彩色の第１のインキの色の潜像２（さらに具体的には、画像Ｙを構成していた潜像２ｂ）が現れる（図４中の＜Ｌ＞で指し示す画像を参照）。すなわち、印刷物上で無彩色により現されている図柄本体部５１及び図柄背景部５２、影部５４と、インキの付されていない光当部５３とからなる面から、有彩色の第１のインキの色の潜像２ｂが現れ、形の変化とともに色の変化を効果的に活用したコピー偽造対策を構築することができる。
【００４２】
ここで、刷り合わせ版Ｑに作成される第２レリーフ調模様４は、レリーフ調模様１と同一形状であるから、図柄本体部及び図柄背景部を形成する複写再現能力に満たない小さい点を、１７５線／インチの網点で構成し、その面積率を１５％としている。影部は、１７５線／インチの網点で構成し、その面積率を１０〜５０％とした。なお、図柄本体部及び図柄背景部は、複写再現能力に満たない小さい点であればよく、１００〜３００線／インチの網点で構成し、その面積率を５〜２５％とすることが好ましい。影部は、１００〜３００線／インチの網点で構成し、その面積率を１０〜５０％とすることが好ましい。上述のような線数並びに面積率は、小さい点の集合体が目視において認識可能であるが、各種のコピー機において再現されない範囲として経験的かつ実験的に得たことに基づいて規定している。
【００４３】
そして、偽造防止印刷版Ｐと刷り合わせ版Ｑとを、見当を合わせて刷り重ねる際には、モアレが出ないように異なる角度で刷り重ねることにより、印刷物上に再現されるレリーフ調模様の形状が更に鮮明に現れるようになるので好ましい。
【００４４】
また、有彩色の第１のインキは、赤であることに限定されず、有彩色の第２のインキは、緑であることに限定されず、第１のインキと第２のインキを合成した合成色が無彩色になる組み合わせの各色を用いることができる。例示すれば、
有彩色のインキの組合せ＝合成色
赤  ＋    緑      ＝グレー
青  ＋  オレンジ  ＝グレー
紫  ＋    黄      ＝グレー
を挙げることができる。
【００４５】
したがって、第２実施形態に係る偽造防止印刷物では、印刷物上で無彩色により現されている合成レリーフ調模様５の図柄本体部５１及び図柄背景部５２、影部５４と、インキの付されない光当部５３とからなる面から、複写物において潜像２が第１のインキの有彩色で現れるため、色の変化を効果的に活用したコピー偽造対策を構築することができる。合成レリーフ調模様５から潜像２が現れることになるので形の変化もコピー偽造対策として活用することができる。そして、偽造防止印刷版Ｐと刷り合わせ版Ｑとを見当を合わせて刷り重ねる構成であるので、印刷物上に再現される合成レリーフ調模様５の形状を、より鮮明化することができる。偽造防止印刷版Ｐと刷り合わせ版Ｑとを見当を合わせて刷り重ねる際には、モアレが出ないように異なる角度で刷り重ねることにより、印刷物上に再現される合成レリーフ調模様５の形状の鮮明さを更に向上させることができる。
【００４６】
以上、本発明について出願人が最良であると信じる２つの実施形態を詳述したが、本発明は、特許請求の範囲に記載された事項を逸脱することがなければ、上記実施形態に限定されることなく、種々の設計変更を行うことが可能である。例えば、本発明に係る偽造防止印刷物に、カモフラージュパターン等の従来のイラスト版や地紋版を重ね刷りすることが可能である。また、これらのイラスト版や地紋版を偽造防止印刷物の版となる偽造防止印刷版に組み込むことが可能であるし、刷り合わせ版にイラスト版や地紋版を組み込んでもよい。
【００４７】
また、上述した２つの実施形態では、複写機で再現可能な大きい点の集合体又は線群として潜像が現れる構成の偽造防止印刷物について説明したが、複写機で再現可能な大きい点の集合体又は線群が背景となって潜像が白抜きで複写物上に現れる所謂白抜き潜像を採用した偽造防止印刷物の構成とすることもできる。潜像及び白抜き潜像は複写機で再現可能な大きい点の集合体又は線群であって、形状をなすものであり、その境界を有するものである。
【００４８】
このほか、複写機で再現可能な大きい点の集合体又は線群の欠落した形状を復元する復元用網点は、複写物上に現れるものであっても、複写物上に現れなくても本発明の技術的範囲に含まれる。復元用網点は、偽造防止印刷物の外観において、複写機で再現可能な大きい点の集合体又は線群が不均一に削られ、斑模様に見えてしまう現象を防ぐための事項だからである。ただし、例えば、１本の万線を１００％濃度としたとき、これに対し２０％濃度以上で欠落した形状を補えば、複写物上においても、複写機で再現可能な大きい点の集合体又は線群の形状が復元されて現れるので、このような構成の偽造防止印刷物は好ましい形態といえるものである。
【符号の説明】
【００４９】
１・・レリーフ調模様
１１・図柄本体部
１２・図柄背景部
１３・光当部
１４・影部
１ｏ・エンボス画像
１ａ・組合せ用エンボス画像
１ｂ・２階調化画像
２・・潜像
２ｏ・潜像画像
２ａ・組合せ用潜像
２ｂ・濃度を持たせた潜像
３・・網点
３ａ・網点画像
４・・第２レリーフ調模様
５・・合成レリーフ調模様
５１・図柄本体部
５２・図柄背景部
５３・光当部
５４・影部
Ｘ・・元画像
Ｙ・・偽造防止印刷画像
Ｐ・・偽造防止印刷版
Ｑ・・刷り合わせ版
【図１】
2014124862.tif 000003
【図２】
2014124862.tif 000004
【図３】
2014124862.tif 000005
【図４】
2014124862.tif 000006